(57)【要約】  本発明の目的は、顎骨の穿孔の訓練における下顎管の損傷の有無又は仕方を正確に把握できる歯科模型を提供することである。  模型顎骨を備え、歯科訓練に用いられる歯科模型１０において、模型顎骨には、下顎管の一部又は全部に対応する箇所に空洞４７が形成されている。この空洞４７は、模型顎骨の表面４１へと貫通していることが好ましく、模型顎骨とは異なる色の配置物５０が配置されることが好ましい。配置物５０は、模型顎骨とは異なる導電性を有することが好ましい。
2012008566.tif 000002
【特許請求の範囲】
【請求項１】
模型顎骨を備え、歯科訓練に用いられる歯科模型であって、
前記模型顎骨には、下顎管の一部又は全部に対応する箇所に空洞が形成されている歯科模型。
【請求項２】
前記空洞は、前記模型顎骨の表面へと貫通している請求項１記載の歯科模型。
【請求項３】
前記空洞には、前記模型顎骨とは異なる色の異色物が配置される請求項１又は２記載の歯科模型。
【請求項４】
前記空洞には、前記模型顎骨とは異なる導電性を有する異導電性物が配置される請求項１から３いずれか記載の歯科模型。
【請求項５】
掘削器具が前記異導電性物に接触したことによる電気的パラメータの変化を報知する報知手段を更に備える請求項４記載の歯科模型。
【請求項６】
前記空洞には、可撓性を有する線状部材が配置される請求項１から５いずれか記載の歯科模型。
【請求項７】
前記空洞の外周のうち少なくとも前記模型顎骨の上面側には、前記模型顎骨の他の部位よりも硬度の大きい部材が配置されている請求項１から６いずれか記載の歯科模型。
【発明の詳細な説明】
【技術分野】
【０００１】
本発明は、歯科訓練に用いられる歯科模型に関する。
【背景技術】
【０００２】
近年、人工歯根を用いた歯科医療が行われている。人工歯根は永久歯の欠損部分の顎骨に人工の歯根を埋め込み、その上に義歯が被せられるものであるが、顎骨の穿孔には高い技術が要求される。即ち、人工歯根に代表されるインプラントを埋め込むためには、穿孔を正確な位置に行って、周囲の組織の破壊を回避しなければならない。【０００３】
そこで、従来、顎骨の穿孔のトレーニングに用いられる歯科模型が開示されている（特許文献１〜４参照）。これらの歯科模型は、顎骨を模した模型顎骨を備えている。
【先行技術文献】
【特許文献】
【０００４】
【特許文献１】実開平６−２５８６１号公報
【特許文献２】特開平１０−３３５７４号公報
【特許文献３】特開平１１−２４９５４８号公報
【特許文献４】特開２００１−１２０５７８号公報
【発明の概要】
【発明が解決しようとする課題】
【０００５】
ところで、穿孔の際に生じ得る主な事故として、下顎神経の枝の下歯槽神経及び同名動静脈の通路である下顎管の損傷が挙げられる。しかし、従来、穿孔の臨場感の向上が着目され、顎骨に近似した硬度を有するよう模型顎骨の素材を選択する等の工夫がされているが、下顎管の損傷を回避する点について全く配慮されていない。【０００６】
ここで、単に下顎管の損傷を回避する技術を向上させる目的であれば、当業者は、費用対効果を考慮し、下顎管の形状を模した棒状物（適宜、下顎管に近似した硬度を有する素材で形成し得る）を模型顎骨に埋める態様に想到するはずである。即ち、あらゆる構造を正確に生体に近似すべき標本模型とは異なり、歯科訓練に用いられる歯科模型では、訓練の効果を最大化することが重視される一方、訓練の効果に寄与しない部分までを生体に近似させることは、製造コストの浪費にすぎないことを当業者は想起する。【０００７】
しかし、本発明者らは、上記態様では、訓練における下顎管の損傷の有無又は仕方を正確に把握することが困難であることを見出した。このため、上記態様は、訓練の効果をフィードバックするという点で不充分であり、また、教官等が実習生の実技能力を認定する際の障害でもある。【０００８】
本発明は、以上の実情に鑑みてなされたものであり、顎骨の穿孔の訓練における下顎管の損傷の有無又は仕方を正確に把握できる歯科模型を提供することを目的とする。
【課題を解決するための手段】
【０００９】
本発明者らは、模型顎骨のうち下顎管の一部又は全部に対応する箇所に空洞を形成し、この空洞に適切な物を配置することで、掘削器具の到達を外部から把握できることを見出し、本発明を完成するに至った。具体的に、本発明は以下のようなものを提供する。【００１０】
（１）  模型顎骨を備え、歯科訓練に用いられる歯科模型であって、
前記模型顎骨には、下顎管の一部又は全部に対応する箇所に空洞が形成されている歯科模型。【００１１】
（２）  前記空洞は、前記模型顎骨の表面へと貫通している（１）記載の歯科模型。【００１２】
（３）  前記空洞には、前記模型顎骨とは異なる色の異色物が配置される（１）又は（２）記載の歯科模型。【００１３】
（４）  前記空洞には、前記模型顎骨とは異なる導電性を有する異導電性物が配置される（１）から（３）いずれか記載の歯科模型。【００１４】
（５）  掘削器具が前記異導電性物に接触したことによる電気的パラメータの変化を報知する報知手段を更に備える（４）記載の歯科模型。【００１５】
（６）  前記空洞には、可撓性を有する線状部材が配置される（１）から（５）いずれか記載の歯科模型。【００１６】
（７）  前記空洞の外周のうち少なくとも前記模型顎骨の上面側には、前記模型顎骨の他の部位よりも硬度の大きい部材が配置されている（１）から（６）いずれか記載の歯科模型。
【発明の効果】
【００１７】
本発明によれば、模型顎骨のうち下顎管の一部又は全部に対応する箇所に空洞が形成されているので、この空洞に適切な物を配置することで、掘削器具の到達を外部から把握することができる。これにより、顎骨の穿孔の訓練における下顎管の損傷の有無又は仕方を正確に把握することができる。
【図面の簡単な説明】
【００１８】
【図１】本発明の一実施形態に係る歯科模型の全体斜視図である。
【図２】図１の歯科模型における模型顎骨のＩＩ−ＩＩ線断面図である。
【図３】図１の歯科模型の使用方法を示す図である。
【発明を実施するための形態】
【００１９】
以下、本発明の一実施形態について図面を参照しながら説明するが、この実施形態に本発明が限定されるものではない。
【００２０】
図１は、本発明の第１実施形態に係る歯科模型１０の全体斜視図である。歯科模型１０は、顎骨を模した模型顎骨４０を備え、実際の歯牙の形状に近似した形状を有する模型歯２０が模型顎骨４０上に支持されている。なお、図１に示される歯科模型１０は、下顎全体に該当する構造を備えるが、少なくとも、穿孔の実習に必要な箇所（つまり、後述の臼歯２１が支持されるべき箇所）を備えていればよい。また、本発明において模型歯２０は必須要素ではない。
【００２１】
本実施形態の模型歯２０は前歯２３及び必要に応じ臼歯から構成される。各々の模型歯２０は歯冠部及び歯根部からなり、その形状において前歯２３及び臼歯は互いに異なる。本実施形態では、臼歯が欠けて模型顎骨４０が露出しており、この箇所において穿孔のトレーニングを行うことができる。なお、欠ける臼歯の数及び箇所は、特に限定されない。
【００２２】
図２は、歯科模型１０における模型顎骨４０の断面図であり、図３は歯科模型１０の使用方法を示す図である。模型顎骨４０には、下顎管の一部又は全部に対応する箇所に空洞４７が形成されている。一般的な下顎管は、下顎孔から前内側に向いた骨内から、下顎体の歯槽の下をほぼ顎舌骨筋線と平行に、大・小臼歯及び犬歯の歯根に小さい枝を送りつつ前方へ走り、オトガイ孔で顔面に開く。従って、空洞４７は、模型顎骨４０の下顎孔に該当する孔４８から下前方へと延び、末端４９において必要に応じ孔４６へと外側に屈曲してよい。ただし、空洞の形成の手間の軽減や、異常な下顎管を意図的に模す等の目的で、図２と異なるように空洞を形成してもよい。
【００２３】
空洞４７に掘削器具の到達を外部から把握できるような適切な配置物５０を配置することで、顎骨の穿孔の訓練における下顎管の損傷の有無又は仕方を正確に把握することができる。かかる配置物５０の配置を使用者が容易に行うことができる点で、空洞４７は模型顎骨の表面へと貫通していることが好ましい。なお、本実施形態では、模型顎骨４０の奥内方に形成された孔４８によって、空洞４７が模型顎骨の表面へと貫通している。
【００２４】
空洞４７に配置される配置物５０は、塊（ある程度の保形性を有するもの）、粉体、液体（保形性を実質的に有しないもの）のいずれであってもよく、特に限定されないが、模型顎骨４０とは異なる色の異色物であることが好ましい。掘削器具が誤って空洞４７に到達すると、掘削器具によって削られた配置物５０が模型顎骨４０の表面へと排出され、この場合に、削られた配置物５０の破片の存否が色差によって容易に確認できる。なお、特に限定されないが、一般的に模型顎骨４０（特に表面４１、充填物４３）が白色又は乳白色であるため、異色物は赤色、青色、黒色等であってよい。
【００２５】
また、配置物５０は、模型顎骨とは異なる導電性を有する異導電性物であることも好ましい。掘削器具が誤って空洞４７に到達すると、掘削器具に接触する部材の導電性が変化するため、これに伴う現象（典型的には電位変化）を監視することで、訓練の結果を容易に確認できる。異導電性物の素材は、模型顎骨の素材との関係で適宜選択されてよく、高導電性又は低導電性のいずれであってもよい。特に限定されないが、一般的には、模型顎骨（特に充填物４３）の素材（例えば、フェノール樹脂、メラミン樹脂、ユリア樹脂、不飽和ポリエステル、エポキシ樹脂、アリル樹脂、ウレタン樹脂等の熱硬化性樹脂、ポリエチレン、ポリプロピレン、スチレンブタジエン樹脂、ＡＡＳ樹脂、ＡＣＳ樹脂、ＥＶＡ樹脂、ポリアセタール、ポリカーボネート、セルロース系プラスチック等の熱可塑性樹脂）が低導電性であるため、異導電性物の素材は金属線等の高導電性であり得る。
【００２６】
かかる態様において、歯科模型１０は、掘削器具が異導電性物に接触したことによる電気的パラメータの変化を報知する報知手段を更に備えることが好ましい。これにより、訓練の結果を容易に確認することができる。かかる報知手段は、従来公知の機構を利用したものであってよく、例えば、掘削器具と異導電性物とを電気的に接続する導線等を備え、更に、導線等を通過する電流に関するパラメータ（例えば、電流値、電圧値）を計測する計測器、又は導線等を通過する電流の変化に基づいて光や音等を発する機器（例えば、ランプ、スピーカ）等を備えてよい。これらの具体的構成は、従来周知の技術であるため、説明を省略する。
【００２７】
配置物５０は、前述のように任意の形態であってよいが、可撓性を有する線状部材であることが好ましい。かかる線状部材は可撓性を有するため、訓練の前後等において、屈曲した空洞４７にも容易に挿入及び離脱でき、これにより外損の程度や箇所から訓練の結果をより正確に把握することができる。具体的な素材は特に限定されず、従来公知の樹脂等であってよい。
【００２８】
かかる配置物５０は、空洞４７への挿入及び離脱をより容易に行うことができる点で、孔４８から外部に延出する延出部５１を有することが好ましい。ただし、これに限られず、例えば、空洞４７を含む面で模型顎骨４０を分割可能にし、分割した状態で配置物５０を空洞４７に配置又は離脱してもよい。
【００２９】
なお、配置物５０は、上記態様のいずれか１種のみを備えるものに限られず、２種以上を組み合わせて備えるものであってもよい。具体的に、配置物５０は、高導電性の金属線等が、模型顎骨４０とは異なる色の異色物（例えば、筒状の樹脂）で被覆された線状部材であってよく、かかる線状部材は可撓性を有するものである。この場合、実習の結果を、色差、及び導電性変化に伴う現象によって確認でき、また、外損の程度や箇所から訓練の結果をより正確に把握することもできる。
【００３０】
空洞４７の外周のうち少なくとも模型顎骨４０の上面（つまり表面４１）側には、模型顎骨４０の他の部位（つまり充填物４３）よりも硬度の大きい硬部材４５が配置されていることが好ましい。これにより、掘削器具が硬部材４５近傍に到達すると、実習者が感じる感覚が生体での手術と同様に変化するため、実習に臨場感を付与することができる。このような硬部材４５の素材は、特に限定されないが、フェノール樹脂、メラミン樹脂、ユリア樹脂、不飽和ポリエステル、エポキシ樹脂、アリル樹脂等の熱硬化性樹脂又はアクリル樹脂、ＡＢＳ樹脂、ＡＡＳ樹脂、ＡＣＳ樹脂、ポリアミド、ポリカーボネート、ポリスルホン、ポリフェニレンオキシド、ポリフェニレンスルフィド、ポリアリレート、ポリエチレンテレフタレート、ポリイミド等の熱可塑性樹脂に、充填材としてガラス繊維、ガラスビーズ、石英、炭酸カルシウム等を配合して強化した複合樹脂等であってよい。硬部材４５の色は、特に限定されず、充填物４３と同色でも異色でもよいが、硬度の変化を察知する能力を向上する観点では、同色である（視認できる破片の色に頼ることができない）ことが好ましい。
【００３１】
なお、本実施形態の硬部材４５は、図２に示されるように、空洞４７の外周全体に配置されているが、模型顎骨４０の上面（つまり表面４１）側にのみ設けられていてもよい。また、本実施形態の硬部材４５は、空洞４７の全長に亘って配置されているが、空洞４７の一部にのみ配置されていてもよい。
【００３２】
以上の歯科模型１０の使用方法について、図３を参照しながら説明する。まず、配置物５０を空洞４７に配置し、この状態で掘削器具９０を操作し、その先端９１を表面４１から充填物４３へと押し下げていく（図３Ａ）。やがて、先端９１は所望のインプラントを埋め込むために適切な深さに達する（図３Ｂ）。この段階で、先端９１の押し下げを終了することができれば、実習は成功である。ここまでの間は、先端９１に削られた表面４１及び充填物４３の破片αが排出されてくる。
【００３３】
ここで、実習者が操作を誤って先端９１を更に押し込むと、先端９１が硬部材４５（つまり、下顎管の外縁）に到達し、実習者の感覚に変化を与える。実習者がこの異変を察知できれば、先端９１の押し込みを中止することで、更なる事態の悪化を予防できる。
【００３４】
しかし、実習者が異変を察知できず、更に先端９１を押し込むと、先端９１が空洞４７（つまり、下顎管の内部の神経）に到達し、先端９１に削られた配置物５０の破片βが排出されてくる。破片βは、表面４１及び破片αと異なる色であるため、色差によって存在を容易に確認できる。また、掘削器具９０と配置物５０とを電気的に接続し、更に電気的パラメータの変化を報知する手段を用いている場合には、その旨が報知される。
【００３５】
このように掘削が終了した後、必要に応じてインプラントを挿入し、実習が完了する。その後、延出部５１を掴んで配置物５０を空洞４７から回収し、配置物５０の外損の程度や箇所を確認することで、顎骨の穿孔の訓練における下顎管の損傷の有無又は仕方を正確に把握することができる。
【００３６】
本発明は前記実施形態に限定されるものではなく、本発明の目的を達成できる範囲での変形、改良等は本発明に含まれるものである。
【符号の説明】
【００３７】
１０  歯科模型
２０  模型歯
２３  前歯
４０  模型顎骨
４１  表面
４３  充填物
４５  硬部材
４６  孔
４７  空洞
４８  孔
４９  末端
５０  配置物
５１  延出部
９０  掘削器具
９１  先端
α  破片
β  破片
【図１】
2012008566.tif 000003
【図２】
2012008566.tif 000004
【図３】
2012008566.tif 000005
【国際調査報告】
2012008566.tif 000006
2012008566.tif 000007
2012008566.tif 000008
2012008566.tif 000009